(57)【特許請求の範囲】
【請求項１】
それぞれ独立にタッチパネルの表面を刺激可能な複数の領域を持つ接触部と、
ユーザにより操作される操作部と、
前記操作部が操作されると、予め記憶された刺激パターンに基づき前記複数の領域の状態を個別に制御する制御部と、
を備え、
前記刺激パターンは、マルチタッチジェスチャの軌跡に対応する前記複数の領域の状態推移パターンを記述していることを特徴とする入力装置。
【請求項２】
前記接触部が接触するタッチパネルを備えた装置の表示部を撮影するための撮影部をさらに備え、
前記制御部は、前記刺激パターンに基づく前記複数の領域に対する一連の制御の途中又は終了後に撮影された前記タッチパネルの画像を解析し、前記タッチパネル側で操作内容に基づく処理が実行されていないと判定した場合、感度が異なる刺激パターンに基づく前記複数の領域に対する一連の制御を実行することを特徴とする請求項１に記載の入力装置。
【請求項３】
前記制御部は、前記複数の領域の内、前記タッチパネルの表面を刺激すべき領域を導電状態に制御し、前記タッチパネルの表面を刺激すべきでない領域を絶縁状態に制御することを特徴とする請求項１または２に記載の入力装置。
【請求項４】
接触部と操作部を備える入力装置を用いた入力方法であって、
前記操作部に対するユーザの操作を受け付けるステップと、
ユーザの操作を受け付けると、予め記憶された刺激パターンに基づき、前記接触部に形成されたそれぞれ独立にタッチパネルの表面を刺激可能な複数の領域の状態を個別に制御するステップと、
を備え、
前記刺激パターンは、マルチタッチジェスチャの軌跡に対応する前記複数の領域の状態推移パターンを記述していることを特徴とする入力方法。
【発明の詳細な説明】
【技術分野】
【０００１】
本発明は、タッチパネルを操作するための入力装置および入力方法に関する。
【背景技術】
【０００２】
スマートフォン、タブレット、カーナビゲーション装置、携帯型ゲーム機などの電子機器の多くはタッチパネルディスプレイを搭載している。タッチパネルは指で直接操作されることが多いが、スタイラスペンで操作される場合もある。スタイラスペンを使用すると、指で操作するより細かなポインティングが可能となる。またタッチパネルの表面が指紋で汚れることを防止できる。
【０００３】
特許文献１は、ペンに複数のボタンを設け、各ボタンが押された際に対応する制御信号を、タッチパネルを搭載する側の機器に送り、タッチパネルを搭載する側の機器はその制御信号に応じて動作する技術を開示している。
【先行技術文献】
【特許文献】
【０００４】
【特許文献１】特開２０１１−１４３５５７号公報
【発明の概要】
【発明が解決しようとする課題】
【０００５】
タッチパネルの操作の中には、２点をタッチした後に２点間の間隔を広げるようにタッチ位置を外側に移動させるピンチアウト操作や、２点をタッチした後に２点間の間隔を狭めるようにタッチ位置を内側に移動させるピンチイン操作がある。通常、ピンチアウト操作は拡大操作に使用され、ピンチイン操作は縮小操作に使用される。
【０００６】
このようなタッチパネル上の複数の点を同時にタッチする必要があるマルチタッチジェスチャは、基本的に複数の指で行う必要があり、１本のスタイラスペンで行うことは困難である。このため、ユーザがスタイラスペンを使用して操作している場合にマルチタッチジェスチャを行うときは、一旦スタイラスペンの使用を中止し、指でマルチタッチジェスチャを行い、再度、スタイラスペンの使用を開始しなければならず不便である。
【０００７】
本発明はこうした状況に鑑みてなされたものであり、その目的は、タッチパネルに対して指以外で簡便にマルチタッチジェスチャに対応する操作を行う技術を提供することにある。
【課題を解決するための手段】
【０００８】
上記課題を解決するために、本発明のある態様の入力装置（１）は、それぞれ独立にタッチパネルの表面を刺激可能な複数の領域を持つ接触部（１０）と、ユーザにより操作される操作部（２２、２３）と、前記操作部（２２、２３）が操作されると、予め記憶された刺激パターンに基づき前記複数の領域の状態を個別に制御する制御部（３０）と、を備える。前記刺激パターンは、マルチタッチジェスチャの軌跡に対応する前記複数の領域の状態推移パターンを記述している。
【０００９】
本発明の別の態様は、入力方法である。この方法は、接触部（１０）と操作部（２２、２３）を備える入力装置（１）を用いた入力方法であって、前記操作部（２２、２３）に対するユーザの操作を受け付けるステップと、ユーザの操作を受け付けると、予め記憶された刺激パターンに基づき、前記接触部（１０）に形成されたそれぞれ独立にタッチパネルの表面を刺激可能な複数の領域の状態を個別に制御するステップと、を備える。前記刺激パターンは、マルチタッチジェスチャの軌跡に対応する前記複数の領域の状態推移パターンを記述している。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、タッチパネルに対して指以外で簡便にマルチタッチジェスチャに対応する操作を行うことができる。
【図面の簡単な説明】
【００１２】
【図１】本発明の実施の形態に係るペン型の入力装置の外観構成を示す図である。
【図２】図１の入力装置の内部システム構成を示す図である。
【図３】図３（ａ）、（ｂ）は、ユーザにより拡大ボタンが押下された際の制御部による接触部の複数の領域に対する制御の様子を示した図である。
【図４】図４（ａ）、（ｂ）は、感度変更前後の状態推移パターンの一例を示す図である。
【図５】本発明の実施の形態に係る入力装置の動作の流れを示すフローチャートである。
【発明を実施するための形態】
【００１３】
図１は、本発明の実施の形態に係るペン型の入力装置１の外観構成を示す図である。入力装置１は、スマートフォン、タブレット、カーナビゲーション装置、携帯型ゲーム機などのタッチパネルを操作するためのポインティングデバイスである。タッチパネルの方式には種々あり、抵抗膜方式、静電容量方式、電磁誘導方式、表面弾性波方式、赤外線方式がある。静電容量方式には表面型と投影型がある。
【００１４】
以下、本実施の形態ではマルチタッチに適した投影型静電容量方式を使用する例を説明する。投影型静電容量方式のタッチパネルは、制御ＩＣを搭載する基板層、透明電極層、保護フィルムが積層されて構成される。基板層はガラスやプラスチック等の透明部材で形成される。電極層は、横方向に複数の透明電極を配列した横方向電極層と縦方向に複数の透明電極を配列した横方向電極層が２層重ねられて形成され、モザイク状の電極パターンを構成する。透明電極は例えば、ＩＴＯ（Indium Tin Oxide）で構成できる。
【００１５】
保護フィルムの上から電極層に、指などの導電体が近づくと両者の間に容量結合が発生する。容量結合が発生した箇所では、近づいた導電体と電極間の容量値が大きくなる。容量値の変化は各電極に電圧変化として現れるため、制御ＩＣは各電極の電圧を監視することにより、タッチ位置を検出できる。
【００１６】
一般にタッチパネルディスプレイ内に表示された画面を拡大するとき、ピンチアウトジェスチャにより拡大操作がタッチパネル側に伝達される。またタッチパネルディスプレイ内に表示された画面を縮小するとき、ピンチインジェスチャにより縮小操作がタッチパネル側に伝達される。これらのジェスチャはいずれもマルチタッチジェスチャであり、タッチパネル側は多点検出可能なタッチパネルである必要がある。例えば、表面型静電容量方式、表面弾性波方式、赤外線方式では多点検出が難しい。
【００１７】
図１に示すように本実施の形態に係る入力装置１の先端には接触部１０が形成される。また入力装置１のボディには第１操作部２１、第２操作部２２、第３操作部２３及び撮影部７０が取り付けられる。以下の説明では第１操作部２１を電源ボタン、第２操作部２２を拡大ボタン、第３操作部２３を縮小ボタンとする。
【００１８】
図１に示した第１操作部２１、第２操作部２２、第３操作部２３及び撮影部７０の取付位置は任意であり、適宜変更が可能である。例えば撮影部７０をクリップに取付けてもよい。また、マルチタッチジェスチャで実現される、拡大操作および縮小操作以外の別の操作を実現する操作ボタンをさらに追加してもよい。あるスマートフォン等では、４点または５点をタッチした後にそれらの点を上方に移動させるジェスチャで、マルチタスク表示画面への切替操作としている。この切替操作を実現する操作ボタンを、第２操作部２２及び第３操作部２３の近傍に追加してもよい。
【００１９】
図２は、図１の入力装置１の内部システム構成を示す図である。入力装置１は電源部５０を備える。電源部５０は単４乾電池、ボタン電池などの小型の電池を備える。当該電池は外部から充電可能な蓄電池であってもよい。接触部１０は、それぞれ独立にタッチパネルの表面を刺激可能な複数の領域を持つ。本実施の形態では静電容量方式を使用しているため、タッチパネルの表面に電気的な刺激を与える。当該複数の領域は例えば、入力装置１の先端面をマトリクス状に複数のブロックに分割して形成される。隣接するブロック間の境界にはそれぞれ絶縁部材が挿入され、隣接するブロック間はそれぞれ絶縁される。
【００２０】
接触部１０を構成する各領域にはそれぞれ電極部材が配置され、各電極部材はスイッチ回路６０を介して電源部５０（図２では電池の正極）にそれぞれ接続される。接触部１０の裏面には絶縁部材１１が形成され、接触部１０の各電極部材と入力装置１の本体が配線以外で電気的に結合することが阻止される。
【００２１】
スイッチ回路６０は、接触部１０の各電極部材と電源部５０をそれぞれ接続する複数の配線間にそれぞれ挿入される複数のスイッチを含む。スイッチは例えば、ＭＯＳＦＥＴ、ＩＧＢＴ、リレー等を用いることができる。この複数のスイッチが個別にオン／オフ制御されることにより、接触部１０の各電極部材の状態が個別に制御される。スイッチがオンされた場合は電極部材は導電状態となり、スイッチがオフされた場合は電極部材は絶縁状態となる。
【００２２】
第１操作部２１、第２操作部２２及び第３操作部２３は、ユーザにより操作されると操作信号を制御部３０に出力する。ボタンが使用される場合、ボタンの押下状態を示すオン／オフ信号を制御部３０に出力する。
【００２３】
制御部３０は操作受付部３１、読出部３２、スイッチ制御部３３、撮影制御部３４及び画像解析部３５を含む。図２の制御部３０の機能ブロックには、本実施の形態で注目する処理に関連する機能ブロックのみを描いている。制御部３０の機能はハードウェア資源とソフトウェア資源の協働、又はハードウェア資源のみにより実現できる。ハードウェア資源としてプロセッサ、ＲＯＭ、ＲＡＭ、その他のＬＳＩを利用できる。ソフトウェア資源としてファームウェア等のプログラムを利用できる。
【００２４】
記憶部４０は不揮発性半導体メモリ等の記憶媒体を備える。本実施の形態では記憶部４０はパターンデータ保持部４１を含む。図２の記憶部４０の機能ブロックにも、本実施の形態で注目する処理に関連する機能ブロックのみを描いている。パターンデータ保持部４１は、マルチタッチジェスチャの軌跡に対応する、接触部１０の複数の領域の状態推移パターンを記述したパターンデータを予め保持している。即ちパターンデータは各期間において、どの領域を導電状態にするかを記述した時系列データである。
【００２５】
図３（ａ）、（ｂ）は接触部１０の表面と、ピンチアウトパターンを説明するための図である。図３（ａ）では接触部１０の表面をマトリクス状にブロック分割している。Ｘ方向のアドレス（Ａ−Ｇ）とＹ方向のアドレス（１−７）の組み合わせでブロック分割された各領域が指定される。
【００２６】
本実施の形態では、ユーザが入力装置１の接触部１０をタッチパネルに接触させる際、接触部１０の各領域がタッチパネルの表面を電気的に刺激するか否かを個別に制御できる。静電容量方式のタッチパネルに使用される本実施の形態に係る入力装置１では、制御部３０は各領域を導電状態とするか絶縁状態とするか個別に制御する。具体的には制御部３０は、接触部１０の複数の領域の内、タッチパネルの表面を電気的に刺激すべき領域を導電状態に制御し、タッチパネルの表面を電気的に刺激すべきでない領域を絶縁状態に制御する。電気的に刺激すべき領域はタッチパネルの制御回路にタッチと判定させたい位置の領域に対応する。
【００２７】
図３（ａ）、（ｂ）は、ユーザにより拡大ボタンが押下された際の制御部３０による接触部１０の複数の領域に対する制御の様子を示した図である。制御部３０は期間Ｔ１において領域Ｃ４、Ｅ４の電極部材に通電して導電状態とし、他の領域の電極部材には通電せずに絶縁状態とする。次に期間Ｔ２において領域Ｂ４、Ｆ４の電極部材に通電して導電状態とし、他の領域の電極部材には通電せずに絶縁状態とする。次に期間Ｔ３において領域Ａ４、Ｇ４の電極部材に通電して導電状態とし、他の領域の電極部材には通電せずに絶縁状態とする。これにより入力装置１の接触部１０と容量結合する、タッチパネルの電極が時間経過に伴い矢印の方向に変化する。これによりタッチパネルの制御回路にピンチアウトジェスチャがなされたことを認識させることができる。
【００２８】
ユーザにより縮小ボタンが押下された際は、上述のピンチアウトパターンと逆のピンチインパターンに従い制御部３０は、接触部１０の複数の領域の状態を制御する。ユーザにより拡大ボタンも縮小ボタンが押下されていない通常の状態では、接触部１０の全ての領域を導電状態に制御する。これによりタッチパネルの制御回路に、シングルタッチと認識させる。なお導電状態に制御される領域が一つに固まっていれば、必ずしも全ての領域を導電状態に制御する必要はない。
【００２９】
図２に戻る。制御部３０の操作受付部３１は、ユーザにより第１操作部２１（電源ボタン）、第２操作部２２（拡大ボタン）、第３操作部２３（縮小ボタン）のいずれかが操作された際、該当する操作部から操作信号を受け付ける。読出部３２は、操作信号に応じたパターンデータをパターンデータ保持部４１から読み出す。例えば拡大ボタンが押下された場合、パターンデータ保持部４１からピンチアウト用のパターンデータを読み出す。縮小ボタンが押下された場合、パターンデータ保持部４１からピンチイン用のパターンデータを読み出す。
【００３０】
スイッチ制御部３３は、読み出されたパターンデータに基づきスイッチ回路６０を制御する。スイッチ回路６０は接触部１０の複数の領域に繋がる配線毎にスイッチを備えるため、各領域を導電状態とするか絶縁状態とするか個別に切り替えることができる。
【００３１】
タッチパネルの制御回路によっては、パターンデータに基づく導電位置の変位が速すぎたり遅すぎたりして、タッチパネルの制御回路に特定のマルチタッチジェスチャと認識されない場合が発生する。以下、それに対応する構成および処理を説明する。なお以下に説明する構成および処理はオプションであり本実施の形態に係る入力装置１の必須要素ではない。
【００３２】
入力装置１に撮影部７０を取り付ける。具体的には入力装置１の先端やクリップに小型のカメラを取り付ける。当該カメラは、接触部１０が接触するタッチパネルの表面（当該タッチパネルを備えた装置の表示部）を撮影可能な位置および向きに取り付けられる。当該カメラには、動画モードまたは連写モードを搭載したものを使用する。
【００３３】
撮影部７０はＣＣＤイメージセンサ、ＣＭＯＳイメージセンサ等の固体撮像素子と、当該固体撮像素子から出力される信号を処理する信号処理回路を備える。当該信号処理回路では例えば、ノイズ除去、Ａ／Ｄ変換などの信号処理が行われる。撮影部７０は撮影した画像を制御部３０に出力する。
【００３４】
撮影制御部３４は、ユーザにより第２操作部２２（拡大ボタン）または第３操作部２３（縮小ボタン）が操作されると撮影部７０に撮影開始を指示する。撮影部７０は当該指示を受けると動画撮影または連写撮影を開始する。これらの処理は、スイッチ制御部３３によるパターンデータに基づく接触部１０の複数の領域に対する一連の制御が開始される前に行われる。撮影制御部３４は、スイッチ制御部３３によるパターンデータに基づく接触部１０の複数の領域に対する一連の制御が終了すると、撮影部７０に撮影終了を指示する。撮影部７０は当該指示を受けると動画撮影または連写撮影を終了する。
【００３５】
画像解析部３５は、上述の一連の制御が終了した後に撮影部７０により撮影されたタッチパネルの画像を解析する。具体的には上述の一連の制御が開始される前に撮影された画像と、当該一連の制御が終了した後に撮影された画像を比較する。画像解析部３５は両者の画像を比較して、タッチパネル側で入力装置１から指示した操作内容に基づく処理が実行されたか否か判定する。
【００３６】
画像解析部３５は例えば、既存のオブジェクト検出アルゴリズムを用いて、上述の一連の制御が開始される前に撮影された画像内でオブジェクトを検出する。例えば画像内の文字列をオブジェクトとして検出する。画像解析部３５は検出したオブジェクトの識別器を生成する。画像解析部３５は、上述の一連の制御が終了した後に撮影された画像内において当該識別器を拡大または縮小しながら当該オブジェクトを探索する。
【００３７】
画像解析部３５は、上述の一連の制御が終了した後に撮影された画像内において検出されたオブジェクトのサイズを判定して、入力装置１から指示した拡大操作または縮小操作に基づく処理がタッチパネル側で実行されたか否か判定する。指示した操作が実行されていない場合、読出部３２は、同じマルチタッチジェスチャを実現する感度の異なる状態推移パターンを記述したパターンデータをパターンデータ保持部４１から読み出す。スイッチ制御部３３は、読み出されたパターンデータに基づきスイッチ回路６０を制御する。感度の異なる状態推移パターンは例えば、導電位置が変位する時間間隔を変更したパターンである。また単位領域の範囲を変更したパターンを使用してもよい。例えば感度を上げるために、隣接する複数の領域（例えば、４領域、９領域）で構成されるブロックを単位領域として扱う。１つのブロック内の複数の領域は全ての同じ状態に制御される。この例はペン先の大きさを変更することに相当する。
【００３８】
図４（ａ）、（ｂ）は、感度変更前後の状態推移パターンの一例を示す図である。図４（ａ）の状態遷移パターンは図３（ｂ）の状態遷移パターンに対応する。図４（ｂ）の状態遷移パターンは、図４（ａ）の状態遷移パターンの導電位置が変位する時間間隔を広げた例である。タッチパネルの制御回路にとって、図４（ａ）の状態遷移パターンに基づく導電位置の変位速度が速すぎる場合、タッチ位置を追従しきれない場合が発生する。この場合、導電位置が変位する時間間隔を広げることにより、タッチパネルの制御回路がタッチ位置を追従できる可能性が高くなる。なお図４（ａ）の状態遷移パターンに基づく制御でも、指示した操作がタッチパネル側で実行されていない場合、さらに導電位置が変位する時間間隔を広げた状態遷移パターンに基づき再トライしてもよい。
【００３９】
反対にタッチパネルの制御回路にとって導電位置の変位速度が遅すぎる場合も、一連のジェスチャと認識されない場合が発生する。この場合、導電位置が変位する時間間隔を狭めることにより、タッチパネルの制御回路が一連のジェスチャと認識する可能性が高くなる。なお、感度変更後の状態遷移パターンに基づく制御でも、指示した操作がタッチパネル側で実行されない場合、さらに導電位置が変位する時間間隔を狭めた状態遷移パターンに基づき再トライしてもよい。また導電位置が変位する時間間隔を広げた状態遷移パターンに基づく再トライと、導電位置が変位する時間間隔を狭めた状態遷移パターンに基づく再トライは交互に実行されるとよい。
【００４０】
図５は、本発明の実施の形態に係る入力装置１の動作の流れを示すフローチャートである。操作受付部３１は第１操作部２１（電源ボタン）からの操作信号を受け付ける。電源オン状態が指示されている場合（Ｓ１０のＹ）、スイッチ制御部３３は、スイッチ回路６０を制御して接触部１０内の固定された領域を導電状態に制御する（Ｓ１１）。操作受付部３１は第２操作部２２（拡大ボタン）または第３操作部２３（縮小ボタン）から操作信号を受け付けると（Ｓ１２のＹ）、撮影制御部３４は撮影部７０に、操作対象となるタッチパネルの撮影を開始させる（Ｓ１３）。スイッチ制御部３３は、対応する操作の状態遷移パターンに基づきスイッチ回路６０を制御して、接触部１０の複数の領域の状態を制御する（Ｓ１４）。
【００４１】
画像解析部３５は、当該制御開始前のタッチパネルの画像と、当該制御終了後のタッチパネルの画像を解析する（Ｓ１５）。画像解析の結果、拡大／縮小操作が成功していると判定された場合（Ｓ１７のＹ）、撮影制御部３４は撮影部７０に当該タッチパネルの撮影を終了させる（Ｓ１８）。その後、ステップＳ１０に遷移する。ステップＳ１０において電源オフ状態が指示されている場合（Ｓ１０のＮ）、全体の処理を終了する。
【００４２】
画像解析の結果、拡大／縮小操作が失敗していると判定された場合（Ｓ１７のＮ）、スイッチ制御部３３は、感度の異なる状態遷移パターンに基づきスイッチ回路６０を制御して、接触部１０の複数の領域の状態を制御する（Ｓ１８）。その後、ステップＳ１５に遷移し、ステップＳ１６以降の処理を繰り返す。
【００４３】
なお撮影部７０を取り付けない構成では、ステップＳ１３、Ｓ１５−Ｓ１８の処理は不要となる。なお拡大率を大きくしたい場合、拡大ボタンを複数回押下することにより、図５に示した処理を複数回実行すればよい。縮小率を大きくしたい場合も同様に、縮小ボタンを複数回押下することにより、図５に示した処理を複数回実行すればよい。またピンチアウト／イン用パターンを複数通り準備して、拡大／縮小ボタンを押下する時間に応じて、使用するパターンを選択してもよい。一般的なタッチパネルでは、タッチされた２点間を拡大／縮小する軌跡が長いほど拡大率／縮小率が大きくなるため、軌跡が異なるパターンを複数通り準備すればよい。
【００４４】
以上説明したように本実施の形態によれば、ユーザは、タッチパネルに対してペン型の入力装置１の操作ボタンを押下するだけで簡便にマルチタッチジェスチャに対応する操作を行うことができる。また撮影部７０を搭載してマルチタッチジェスチャで指示する操作内容がタッチパネル側で実行されたかを確認し、実行されていない場合は感度の異なる状態遷移パターンで再トライする。これにより、様々な種類のタッチパネルで感度よく使用できる。
【００４５】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４６】
上述したようにペン先の僅かな接触面でのマルチタッチジェスチャは、指での操作と比較して、タッチパネル側の機器にマルチタッチジェスチャと認識されない場合が発生しやすい。タッチ位置の変移が小さかったり、タッチ位置の接触面積が小さくなりがちなのが主な要因である。これに対応するためにタッチパネル側の機器が、指でタッチされているかペン型の入力装置１で操作されているか判定する機能を搭載してもよい。ペン型の入力装置１で操作されている場合、マルチタッチジェスチャを判定する際の各閾値を、ペン型の入力装置１によるタッチの検出に適した閾値に変更してもよい。
【００４７】
上述の説明では、本発明をペン型の入力装置に適用する実施の形態を説明したが、本発明を適用する入力装置はペン型に限らず、例えば手袋の一の指の部分に適用しても良い。
【００４８】
上述の説明では投影型静電容量方式のタッチパネルを例に説明したが、抵抗膜方式のタッチパネルの場合、入力装置１を以下のように構成すればよい。接触部１０の各領域を物理的にペン軸方向に個別に上下できる駆動機構を設ける。制御部３０は、接触部１０の複数の領域の物理的な状態推移を記述したパターンデータに基づき、当該駆動機構を制御する。このようにタッチパネルの表面を電気的に刺激するのはではなく、物理的に刺激することによってマルチタッチジェスチャを実現できる。抵抗膜方式では、物理的な刺激を受けた箇所の抵抗値が変化するため、タッチパネル側の機器がタッチ位置を検出できる。
【００４９】
また投影型静電容量方式のタッチパネルにおいても、スイッチ回路６０ではなく当該駆動機構によりタッチパネルの電極層と、接触部１０の各電極部材の距離を個別に調整することにより両者間の容量値を変化させてもよい。また電磁誘導方式のタッチパネルの場合、接触部１０の各領域にそれぞれコイルを設け、各コイルの通電状態を個別に制御すればよい。
【符号の説明】
【００５０】
１  入力装置、  １０  接触部、  １１  絶縁部材、  ２１  第１操作部、  ２２  第２操作部、  ２３  第３操作部、  ３０  制御部、  ３１  操作受付部、  ３２  読出部、  ３３  スイッチ制御部、  ３４  撮影制御部、  ３５  画像解析部、  ４０  記憶部、  ４１  パターンデータ保持部、  ５０  電源部、  ６０  スイッチ回路、  ７０  撮影部。
【図１】
0006265154.tif 000002
【図２】
0006265154.tif 000003
【図３】
0006265154.tif 000004
【図４】
0006265154.tif 000005
【図５】
0006265154.tif 000006